(57)【要約】【課題】リプリント用のデータを効率的かつ編集のやり直しが可能なように記憶できるプリントシステムを提供する。【解決手段】第２プリント端末２００の制御部３０は、タッチパネル３６から入力されたプリント番号により、リプリントデータ記憶部２２から印刷情報を特定して読み出す（Ｓ２２）。次に、印刷情報に含まれる元画像ファイル名及びテンプレート管理番号に基づいて元画像及びテンプレート情報をリプリントデータ記憶部２２及びテンプレート記憶部２３から特定して読み出す（Ｓ２３）。そして、読み出した印刷情報とテンプレート情報に従い、読み出した元画像にトリミングとテンプレート合成を行う（Ｓ２４）。画像処理された元画像は指定された枚数だけプリンタ３８で印刷される（Ｓ３０）。テンプレート情報を変更することも可能である（Ｓ２６）。【選択図】  図７
2006015703.tif 000002
【特許請求の範囲】
【請求項１】
記憶媒体に記憶された元画像を読み出す第１読出部と、
前記元画像を記憶する元画像記憶部と、
一意的なプリント識別情報を発行するプリント識別情報発行部と、
前記元画像の編集に関する情報を記述した編集情報を記憶する編集情報記憶部と、
前記プリント識別情報で識別されかつ前記元画像と前記編集情報との対応を規定する印刷情報を記憶する印刷情報記憶部と、
前記プリント識別情報を入力する入力部と、
前記入力されたプリント識別情報で識別される印刷情報で規定された対応を有する元画像及び編集情報をそれぞれ前記元画像記憶部及び前記編集情報記憶部から読み出す第２読出部と、
前記読み出した編集情報に従って前記読み出した元画像を編集する編集部と、
前記編集された元画像を印刷するプリンタと、
を備えるプリントシステム。
【請求項２】
前記印刷情報は該印刷情報の削除の基準となる基準情報を含み、
所定の削除条件に一致する基準情報を含む印刷情報と前記印刷情報で特定される元画像を前記印刷情報記憶部及び前記元画像記憶部から削除する削除部と、
前記印刷情報に従い、各編集情報に対応する元画像の数を計数する計数部と、
をさらに備え、
前記削除部は対応する元画像の数が所定数以下の編集情報を前記編集情報記憶部から削除する請求項１に記載のプリントシステム。
【請求項３】
前記編集情報の選択を受け付ける選択部をさらに備え、
前記編集部は前記選択された編集情報に従って前記読み出した元画像を編集する請求項１又は２に記載のプリントシステム。
【請求項４】
前記編集情報は前記元画像に対するテンプレート画像の合成に関する情報を記述し、
前記編集部は前記編集情報に従って前記元画像に前記テンプレート画像を合成する請求項１〜３のいずれかに記載のプリントシステム。
【請求項５】
前記印刷情報は前記元画像のトリミング範囲を規定し、
前記編集部は前記トリミング範囲に従って前記元画像をトリミングする請求項１〜４のいずれかに記載のプリントシステム。
【請求項６】
記憶媒体に記憶された元画像を読み出すステップと、
前記元画像を記憶するステップと、
一意的なプリント識別情報を発行するステップと、
前記元画像の編集に関する情報を記述した編集情報を記憶するステップと、
前記プリント識別情報で識別されかつ前記元画像と前記編集情報との対応を規定する印刷情報を記憶するステップと、
前記プリント識別情報を入力するステップと、
前記入力されたプリント識別情報で識別される印刷情報で規定された対応を有する元画像及び編集情報を読み出すステップと、
前記読み出した編集情報に従って前記読み出した元画像を編集するステップと、
前記編集された元画像を印刷するステップと、
を備えるプリント方法。
【発明の詳細な説明】
【技術分野】
【０００１】
本発明はプリントシステム及びプリント方法に係り、特に一度印刷した画像を後で再印刷できるプリントシステム及びプリント方法に関する。
【背景技術】
【０００２】
従来、一度印刷した画像を再度印刷するリプリントを効率的に行うための技術が様々考案されている。例えば特許文献１のネットワークプリンタ装置によると、ファイルサーバが、プリンタサーバに引き渡し終わったジョブを履歴キューに一定量記憶するように構成する。再印刷の際は、印刷完了したファイルデータを端末からキューへ再送信することなく、履歴キューを用いてプリンタから再印刷する。
【特許文献１】特開平８−２２１２２７号公報
【発明の開示】
【発明が解決しようとする課題】
【０００３】
特許文献１の技術では、ファイルサーバでジョブを記憶するが、記憶できるジョブの容量は一定量であり制限がある。このため、実際にリプリントに必要なジョブが記憶容量の制約で記憶されない可能性もある。ハードディスクなどの大容量記憶媒体を増設して記憶できるジョブの容量を増加させるなどの対処方法も考えられるが、コスト面で問題があり、根本的な解決とはならない。また、記憶させておいた同じジョブで再印刷を行うため、画像の編集をやり直すことができない。本発明はこのような問題点に鑑みてなされたもので、リプリント用のデータを効率的かつ編集のやり直しが可能なように記憶できるプリントシステムを提供することを目的とする。
【課題を解決するための手段】
【０００４】
上述の課題を解決するため、請求項１に係る発明は、記憶媒体に記憶された元画像を読み出す第１読出部と、前記元画像を記憶する元画像記憶部と、一意的なプリント識別情報を発行するプリント識別情報発行部と、前記元画像の編集に関する情報を記述した編集情報を記憶する編集情報記憶部と、前記プリント識別情報で識別されかつ前記元画像と前記編集情報との対応を規定する印刷情報を記憶する印刷情報記憶部と、前記プリント識別情報を入力する入力部と、前記入力されたプリント識別情報で識別される印刷情報で規定された対応を有する元画像及び編集情報をそれぞれ前記元画像記憶部及び前記編集情報記憶部から読み出す第２読出部と、前記読み出した編集情報に従って前記読み出した元画像を編集する編集部と、前記編集された元画像を印刷するプリンタと、を備えるプリントシステムを提供する。
【０００５】
この発明によると、元画像と編集情報は別個に記憶されており、一意的なプリント識別情報で識別される印刷情報により元画像と編集情報とが対応づけられ、プリント識別情報を入力して印刷情報を指定すると、元画像が対応する編集情報で編集されて印刷される。即ち、プリント識別情報を入力するだけで何度でも元画像を同じ編集情報で編集して印刷できる。加えて、元画像は編集されないまま記憶されているから、必要に応じて編集のやり直しをすることも可能である。プリント識別情報を入力する手段は、キーボードなどの操作入力装置や二次元コードリーダなど特に限定されない。
【０００６】
請求項２に係る発明は、前記印刷情報は該印刷情報の削除の基準となる基準情報を含み、所定の削除条件に一致する基準情報を含む印刷情報と前記印刷情報で特定される元画像を前記印刷情報記憶部及び前記元画像記憶部から削除する削除部と、前記印刷情報に従い、各編集情報に対応する元画像の数を計数する計数部と、をさらに備え、前記削除部は対応する元画像の数が所定数以下の編集情報を前記編集情報記憶部から削除する請求項１に記載のプリントシステムを提供する。
【０００７】
この発明によると、各編集情報に対応する元画像の数が計数されており、所定の削除条件に一致する印刷情報で特定される元画像が削除され、編集情報に対応する元画像の数が所定数以下（例えば０）となった場合、その編集情報が削除される。即ち、どの元画像の編集にも使用されない編集情報を削除し、編集情報記憶部の記憶資源の無駄な消費を防ぐことができる。
【０００８】
請求項３に係る発明は、前記編集情報の選択を受け付ける選択部をさらに備え、前記編集部は前記選択された編集情報に従って前記読み出した元画像を編集する請求項１又は２に記載のプリントシステムを提供する。
【０００９】
元画像は編集されないまま記憶されているから、選択部で編集情報を選択して編集のやり直しをすることが可能である。
【００１０】
請求項４に係る発明は、前記編集情報は前記元画像に対するテンプレート画像の合成に関する情報を記述し、前記編集部は前記編集情報に従って前記元画像に前記テンプレート画像を合成する請求項１〜３のいずれかに記載のプリントシステムを提供する。
【００１１】
編集情報はテンプレート合成に関する情報、例えば、テンプレート画像ファイル、マスク画像ファイル、テンプレート画像の合成位置などを含む。
【００１２】
請求項５に係る発明は、前記印刷情報は前記元画像のトリミング範囲を規定し、前記編集部は前記トリミング範囲に従って前記元画像をトリミングする請求項１〜４のいずれかに記載のプリントシステムを提供する。
【００１３】
印刷情報に元画像のトリミング範囲を記憶させておき、そのトリミング範囲に従って元画像をトリミングすることも可能である。
【００１４】
請求項６に係る発明は、記憶媒体に記憶された元画像を読み出すステップと、前記元画像を記憶するステップと、一意的なプリント識別情報を発行するステップと、前記元画像の編集に関する情報を記述した編集情報を記憶するステップと、前記プリント識別情報で識別されかつ前記元画像と前記編集情報との対応を規定する印刷情報を記憶するステップと、前記プリント識別情報を入力するステップと、前記入力されたプリント識別情報で識別される印刷情報で規定された対応を有する元画像及び編集情報を読み出すステップと、前記読み出した編集情報に従って前記読み出した元画像を編集するステップと、前記編集された元画像を印刷するステップと、を備えるプリント方法を提供する。
【発明の効果】
【００１５】
この発明によると、元画像と編集情報は別個に記憶されており、一意的なプリント識別情報で識別される印刷情報により元画像と編集情報とが対応づけられ、プリント識別情報を入力して印刷情報を指定すると、元画像が対応する編集情報で編集されて印刷される。即ち、プリント識別情報を入力するだけで何度でも元画像を同じ編集情報で編集して印刷できる。加えて、元画像は編集されないまま記憶されているから、必要に応じて編集のやり直しをすることも可能である。
【発明を実施するための最良の形態】
【００１６】
以下、添付した図面を参照し本発明の好ましい実施の形態を説明する。
【００１７】
［概略構成］
図１は、本発明の好ましい実施形態に係るプリントシステムの概略機能構成図である。プリントシステムは、第１プリント端末１００と第２プリント端末２００とがネットワーク３を介して接続されてなる。このシステムは、ユーザがスマートメディアなどの記録媒体を第１プリント端末１００に挿入してお金を投入し、記録媒体に格納されているデジタル画像をプリンタ１８でＴＡペーパーなどの印刷媒体にプリントする。
【００１８】
第１プリント端末１００は、制御部１０、ＲＡＭ１１、Ｒ／Ｗコントローラ１２、メディアリーダ１４、ディスプレイ１５、タッチパネル１６、ＳＣＳＩコントローラ１７及びプリンタ１８を備える。各プリンタ１８はＳＣＳＩコントローラ１７に接続されており、制御部１０の指示に応じて送信されたプリントジョブを受信し、プリント動作を行う。プリントデータ記憶部２１、リプリントデータ記憶部２２、テンプレート記憶部２３は、ハードディスクなどの大容量記憶装置で構成されており、各々Ｒ／Ｗコントローラ１２と接続されてデータの読み取り／記憶の制御を受ける。プリントデータ記憶部２１、リプリントデータ記憶部２２、テンプレート記憶部２３は、別個の記憶装置で構成してもよいし、同一の記憶装置における別個の記憶領域であってもよい。
【００１９】
ユーザが記録媒体をメディアリーダ１４に挿入すると、制御部１０は、記録媒体に所定の形式で圧縮された状態で記録された画像データ（ＤＣＦ（Design rule for Camera File system）など）の読み出しをメディアリーダ１４に指示して記録媒体から所要の画像データを取得し、この画像データを伸張して元の画像データに復元し、更に、所要の画像処理を施してその画像データをＲＡＭ１１に記憶させる。以下、記録媒体から読み出された画像を元画像という。
【００２０】
ユーザはディスプレイ１５を見ながらタッチパネル１６を操作してプリントサイズ、プリント枚数、元画像のトリミング範囲指定、テンプレート選択などの印刷情報を入力する。テンプレートは、記録媒体から読み込んだ画像に合成する画像であり、テンプレート記憶部２３に記憶されている。入力された印刷情報はディスプレイ１５に表示されるとともに、プリントデータ記憶部２１に記憶される。
【００２１】
図２は、印刷情報の概念説明図である。この図に示すように、印刷情報には、プリント番号、印刷状態、受付日時、印刷日時、印刷要求枚数、印刷完了枚数、元画像ファイル名、ユーザ情報、テンプレート管理番号、トリミング情報が含まれている。この内、ユーザがタッチパネル１６を操作して自由に入力・指定できる情報は、印刷要求枚数、元画像ファイル名、ユーザ情報、テンプレート管理番号、トリミング情報である。元画像ファイル名は、ユーザが印刷を希望する元画像のファイル名であり、元画像を選択することで定まる。印刷要求枚数は、画像の印刷枚数である。ユーザ情報はユーザの名前や連絡先などからなり、印刷情報の識別の便宜のために保存される。テンプレート管理番号は、テンプレート記憶部２３に記憶されるテンプレート情報の識別情報である。テンプレート管理情報は、元画像の編集に関する情報の一例であるテンプレート合成を規定するテンプレート情報を管理するための情報であるが、詳細は後述する。印刷情報は、元画像ファイル名とテンプレート番号を含んでいるから、元画像とテンプレート情報との対応を規定する情報となる。
【００２２】
一方、プリント番号、印刷状態、受付日時、印刷日時、印刷完了枚数は、制御部１０が確定する情報であり、ユーザが入力しなくてもよい。プリント番号は、各印刷情報に一意に付与される識別情報である。印刷状態は、印刷情報に従ったプリントジョブの進行状況を示す。受付日時は、印刷情報の入力が開始あるいは終了した日時である。印刷完了枚数は、印刷情報に従ったプリントジョブで印刷の完了したプリントの枚数である。
【００２３】
図３は、テンプレート記憶部２３に記憶されるテンプレート管理情報の概念説明図である。テンプレート管理情報は、テンプレート番号、テンプレート画像ファイル名、マスク画像ファイル名、合成情報、使用数が対応したテンプレート情報を１又は複数含んでいる。テンプレート情報は、プリント料金の単価やテンプレート単価などの課金情報をさらに対応させてもよい。この内、テンプレート画像ファイル名は、テンプレート画像記憶部２３に記憶されているテンプレート画像のファイル名である。マスク画像ファイル名は、元画像とテンプレート画像とを合成する際に元画像の所定部分を隠すマスク画像のファイル名である。マスク画像ファイルもテンプレート記憶部２３に記憶されている。ユーザがタッチパネル１６からテンプレート管理番号を指定することで、テンプレート管理情報の中から所望のテンプレート情報を指定できる。合成情報は、上記指定されたテンプレート画像やマスク画像と元画像との合成の実行に必要な各種情報（テンプレート画像の合成位置など）を保存するファイルである。使用数は、このテンプレート情報に従ってテンプレート画像合成が行われる元画像の数を表し、後述の受付処理あるいは削除処理で更新される。
【００２４】
コインマシン１９は、タッチパネル１６から入力された情報に基づいてディスプレイ１５に表示された金額をユーザが投入したかどうかを確認する。必要な金額が投入されたら、ＲＡＭ１１に格納されている画像データがＳＣＳＩコントローラ１７を介してプリントジョブとしてレディ状態のいずれかのプリンタ１８に送られる。これらの一連の制御は制御部１０が行う。プリンタ１８は、ＴＡ方式と呼ばれる印画方式を採用したもので、熱を加えると発色し、所定の波長の光を照射すると定着するという特性を有するＴＡペーパーを使用する。
【００２５】
第１プリント端末１００、第２プリント端末２００は、それぞれ通信インターフェースである第１通信部２４、第２通信部３４を備えており、両者はネットワーク３を介して接続されている。第１プリント端末１００の備えるプリントデータ記憶部２１、リプリントデータ記憶部２２、テンプレート記憶部２３に記憶される情報は、第２プリント端末２００からアクセス可能なように共有されている。第２プリント端末２００は、制御部３０、ＲＡＭ３１、ディスプレイ３５、タッチパネル３６、ＳＣＳＩコントローラ３７、プリンタ３８、コインマシン３９を備えているが、それぞれ第１プリント端末１００の制御部１０、ＲＡＭ１１、ディスプレイ１５、タッチパネル１６、ＳＣＳＩコントローラ１７、プリンタ１８、コインマシン１９と同様の機能を有する。
【００２６】
［処理の流れ］
以下、本システムで実行される処理の流れを説明する。本システムでは、受付処理、プリント処理、リプリント処理及び削除処理が実行される。
【００２７】
（受付処理）
まず、図４のフローチャートを参照し、第１プリント端末１００で実行される受付処理の流れを説明する。この処理は、記録媒体をメディアリーダ１４に挿入したときに開始する。
【００２８】
Ｓ１では、メディアリーダ１４は、挿入された記録媒体から元画像を読み出す。読み出された元画像はプリントデータ記憶部２１に記憶され、ディスプレイ１５に表示される。なお、元画像の画像ファイル名は、記録媒体から読み出した現状のままのものを使用してもよいし、元画像を読み出した第１プリント端末１００を識別する文字や記号を含めた名前に改名してもよい。一方、制御部１０は一意的なプリント番号を発行し、読み出された元画像の画像ファイル名は、上記一意的なプリント番号の発行された印刷情報の一部の情報としてプリントデータ記憶部２１に記憶される。
【００２９】
Ｓ２では、制御部１０は印刷情報を識別するためのユーザ情報の入力をディスプレイ１５への文字・画像・キャラクタ表示などで促し、ユーザはタッチパネル１６でユーザ情報（例えば「太郎」などのユーザ名）を入力する。ユーザの住所・連絡先といったユーザに関する各種情報もユーザ情報として入力できるようにしてもよい。入力されたユーザ情報は印刷情報の一部としてプリントデータ記憶部２１に記憶される。
【００３０】
Ｓ３では、制御部１０は元画像の編集内容の指定を促し、タッチパネル１６から元画像の編集内容の指定を受け付ける。編集内容の一例として、テンプレート記憶部２３に記憶されるテンプレート管理情報から所望のテンプレート情報の選択を促す。テンプレート情報の選択は、各テンプレート情報に含まれるテンプレート画像をディスプレイ１５に一覧表示し、タッチパネル１６の操作でいずれかのテンプレート画像を選択させることで行わせればよい。選択されたテンプレート情報のテンプレート管理番号は、印刷情報の一部としてリプリントデータ記憶部２２に記憶される。さらに、選択されたテンプレート情報の使用数に１が加算（インクリメント）されてテンプレート記憶部２３に記憶される。なお、テンプレート情報は、テンプレート管理番号やテンプレート画像ファイル名などの各情報をコンマで区切ったＣＳＶ(Comma Separated Values)形式のファイルで作成することができる。
【００３１】
あわせて制御部１０は、元画像のトリミング範囲の指定を促し、ユーザは元画像のトリミング範囲をタッチパネル１６の操作で指定する。このステップで指定されたトリミング範囲は印刷情報に含まれるトリミング情報としてプリントデータ記憶部２１に記憶される。
【００３２】
Ｓ４では、制御部１０は、画像の印刷枚数の指定を促し、ユーザは所望の印刷枚数をタッチパネル１６の操作で指定する。このステップで指定された指定された印刷枚数は印刷情報に含まれる印刷要求枚数としてプリントデータ記憶部２１に記憶される。
【００３３】
なお、印刷情報の受付日時として現在の日時をプリントデータ記憶部２１に記憶する。
【００３４】
以上の処理により、図２に示すような印刷情報の一部がプリントデータ記憶部２１に記憶される。
【００３５】
（プリント処理）
次に、図５のフローチャートを参照し、第１プリント端末１００で実行されるプリント処理の流れを説明する。この処理は、上述の受付処理の終了後、タッチパネル１６から所定の印刷開始指示が入力されたときに開始する。
【００３６】
Ｓ１１では、印刷情報に含まれる印刷日時として現在の日時をプリントデータ記憶部２１に記憶する。Ｒ／Ｗコントローラ１２は、プリントデータ記憶部２１に記憶された印刷情報を読み出してＲＡＭ１１に記憶する。制御部１０は、プリントデータ記憶部２１の元画像を印刷情報に含まれる元画像ファイル名により特定して読み出し、ＲＡＭ１１に記憶する。
【００３７】
Ｓ１２では、制御部１０は、まず、印刷情報に含まれるトリミング情報に従って元画像をトリミングする。次に、印刷情報に含まれるテンプレート管理番号で特定されるテンプレート情報をテンプレート記憶部２３から読み出し、読み出したテンプレート情報に含まれるテンプレート画像ファイル名とマスク画像ファイル名でそれぞれテンプレート記憶部２３に記憶されたテンプレート画像とマスク画像を特定して読み出しＲＡＭ１１に記憶する。そして、トリミングした元画像をマスク画像でマスクし、テンプレート画像と合成する。さらに、この合成画像には、印刷情報に含まれるプリント番号が付加される。このプリント番号が付加された合成画像はプリントジョブとしてプリンタ１８に出力される。
【００３８】
Ｓ１３では、プリンタ１８は受け取ったプリントジョブに従って合成画像をＴＡペーパーに印画して所定のサイズでカットし、排出口からプリント物を排出する。図６に示すように、プリント物には、合成画像Ｉとともにプリント番号Ｎが印刷される。このプリント番号Ｎは、合成画像Ｉの再印刷（リプリント）に使用される。なお、プリント番号そのものを合成画像とともに印刷させる代わりに、プリント番号を埋め込んだ二次元コード画像を合成画像とともに印刷させてもよい。
【００３９】
Ｓ１４では、制御部１０は、プリントデータ記憶部２１に記憶された印刷情報の印刷状態を「完了」に更新し、印刷完了枚数を印刷の完了した印刷枚数に更新する。そして、印刷状態が「完了」である印刷情報をプリントデータ記憶部２１からリプリントデータ記憶部２２に複製する。さらに、複製された印刷情報に含まれる元画像ファイル名で特定される元画像をプリントデータ記憶部２１からリプリントデータ記憶部２２に複製する。複製の終了した印刷情報及び元画像はプリントデータ記憶部２１から削除する。
【００４０】
（リプリント処理）
次に、図７のフローチャートを参照し、第２プリント端末２００で実行されるリプリント処理の流れを説明する。
【００４１】
Ｓ２１では、リプリントすべき元画像を特定するため、上述のプリント処理でプリント物に印刷されたプリント番号Ｎをタッチパネル３６から入力させる。プリント番号を埋め込んだ二次元コード画像から二次元コードリーダでプリント番号Ｎを入力してもよい。
【００４２】
Ｓ２２では、制御部３０は、ネットワーク共有されているリプリントデータ記憶部２２にアクセスし、タッチパネル３６から入力されたプリント番号Ｎの付与された印刷情報を特定して読み出す。
【００４３】
Ｓ２３では、制御部３０は、印刷情報に含まれる元画像ファイル名及びテンプレート管理番号に基づいて元画像及びテンプレート情報をそれぞれリプリントデータ記憶部２２及びテンプレート記憶部２３から特定して読み出しＲＡＭ３１に記憶する。
【００４４】
Ｓ２４では、制御部１０は、読み出した印刷情報とテンプレート情報に従い、読み出した元画像にトリミングとテンプレート合成を行う。これらの画像処理はプリント処理のＳ１２と同様である。
【００４５】
Ｓ２５では、テンプレート合成した画像をディスプレイ３５に表示し、この内容で印刷してよいか否かの確認入力を受け付ける。印刷してもよい旨が入力された場合はＳ２９に移行し、印刷してもよい旨が入力されない場合はＳ２６に移行する。
【００４６】
Ｓ２６では、タッチパネル３６からテンプレート記憶部２３のテンプレート情報の選択を受け付け、指定されたテンプレート情報のテンプレート管理番号を、ＲＡＭ３１の印刷情報に記憶する。指定されたテンプレート情報のテンプレート管理番号を、リプリントデータ記憶部２２の印刷情報に記憶してもよい。Ｓ２７では、ＲＡＭ３１の印刷情報に従って元画像にトリミングとテンプレート合成の画像処理を施す。
【００４７】
Ｓ２８では、画像処理を施した元画像をディスプレイ３５に表示し、この内容で印刷してよいか否かの確認入力を受け付ける。印刷してもよい旨が入力された場合はＳ２９に移行し、印刷してもよい旨が入力されない場合はＳ２６に戻る。
【００４８】
Ｓ２９では、印刷枚数の指定を受け付け、Ｓ３０では、Ｓ２４又はＳ２７で画像処理された元画像をＳ２９で指定された枚数だけプリンタ３８で印刷させる。
【００４９】
以上の処理により、第１プリント端末１００にネットワーク接続された第２プリント端末２００に、プリント物に印刷されたプリント番号を入力すれば、第１プリント端末１００から読み込んだ元画像を、印刷情報によって対応づけられたテンプレート情報に従って編集して再印刷することができる。
【００５０】
また、元画像とテンプレート情報は印刷情報によって対応づけられているだけであり、データとしては別個に記憶されている。このため、受付処理のＳ３で指定したテンプレート情報とは別のテンプレート情報をリプリント処理で指定し（Ｓ２６）、そのテンプレート情報に従って読み出した元画像を編集して（Ｓ２７）印刷することもできる。即ち、編集済みの画像をリプリント用の画像として蓄積しておく従来の構成のように、元画像の編集のやり直しが不可能であるという問題は生じず、リプリントの際の画像編集の要望にも柔軟な対応が可能となる。
【００５１】
なお、この処理と同様の処理を第１プリント端末１００で実行することで、第１プリント端末１００からリプリントしたプリント物を得ることができるようにしてもよい。
【００５２】
（削除処理）
次に、図８のフローチャートに基づき、第１プリント端末１００で実行される削除処理の流れを説明する。この処理は１日に一度など定期的に実行される。
【００５３】
Ｓ５１では、制御部１０は、リプリントデータ記憶部２２に記憶されている印刷情報を読み出し、Ｓ５２では、この印刷情報に含まれる所定の情報が所定の削除条件に一致しているか否かを判断する。所定の情報は、削除条件の比較対象となる情報であり、受付日時や印刷日時である。所定の削除条件の一例としては、受付日時から所定期間（３０日など）経過したこと、印刷日時から所定期間経過したことなどである。所定の削除条件に一致している場合はＳ５３に移行し、一致していない場合はＳ５７に移行する。以下、所定の削除条件に一致した印刷情報を削除対象印刷情報という。
【００５４】
Ｓ５３では、制御部１０は、削除対象印刷情報に含まれる元画像ファイル名で特定される元画像をリプリントデータ記憶部２２から削除する。
【００５５】
Ｓ５４では、制御部１０は、削除対象印刷情報に含まれるテンプレート管理番号で特定されるテンプレート情報の「使用数」から１を減じ（デクリメント）、この数をテンプレート情報の新たな使用数としてリプリントデータ記憶部２２に記憶する。制御部１０は、削除対象印刷情報をリプリントデータ記憶部２２から削除する。
【００５６】
Ｓ５５では、上記デクリメントされた使用数が０となったか否かを判断する。０となった場合はＳ５６に移行し、０でない場合はＳ５７に移行する。Ｓ５６では、使用数が０となったテンプレート情報をテンプレート記憶部２３から削除する。
【００５７】
Ｓ５７では、Ｓ５１で、リプリントデータ記憶部２２に記憶されている全ての印刷情報を読み出したか否かを判断する。全ての印刷情報を読み出した場合はこの処理を終了し、読み出していない印刷情報がある場合はＳ５１に戻り、まだ読み出していない印刷情報を読み出して上記ステップＳ５２〜５６を繰り返す。
【００５８】
以上説明した通り、所定の削除条件に一致する削除対象印刷情報で特定される元画像と削除対象印刷情報はリプリントデータ記憶部２２から削除される（Ｓ５３、Ｓ５４）。削除対象印刷情報で特定されるテンプレート情報の使用数はデクリメントされ（Ｓ５４）、使用数が０となったテンプレート情報はテンプレート記憶部２３から削除される（Ｓ５６）。即ち、不要な印刷情報と元画像の削除によって、リプリント処理で全く使用しないことが確定したテンプレート情報をテンプレート記憶部２３から削除できる。
【図面の簡単な説明】
【００５９】
【図１】本発明の好ましい実施形態に係るプリントシステムの概略構成図
【図２】印刷情報の概念説明図
【図３】テンプレート管理情報の概念説明図
【図４】受付処理の流れを示すフローチャート
【図５】プリント処理の流れを示すフローチャート
【図６】プリント物の外観を示す図
【図７】リプリント処理の流れを示すフローチャート
【図８】削除処理の流れを示すフローチャート
【符号の説明】
【００６０】
１００：第１プリント端末、２００：第２プリント端末
【図１】
2006015703.tif 000003
【図２】
2006015703.tif 000004
【図３】
2006015703.tif 000005
【図４】
2006015703.tif 000006
【図５】
2006015703.tif 000007
【図６】
2006015703.tif 000008
【図７】
2006015703.tif 000009
【図８】
2006015703.tif 000010